(57)【特許請求の範囲】
【請求項１】
離して配置した２つのコンクリート基礎梁部材の間に挿入するコンクリート基礎梁部接続用部材の左右の天端それぞれに取り付けられる２枚１組の肩当て金物であって、
前記コンクリート基礎梁部接続用部材に取り付けられた状態で前記天端から水平面内左右方向に突出する部位を有しており、当該左右の突出部位を前記２つのコンクリート基礎梁部材の天端上に載置して使用することを特徴とするコンクリート基礎梁部接続用部材専用の肩当て金物。
【発明の詳細な説明】
【技術分野】
【０００１】
本発明は、コンクリート基礎梁部材とコンクリート基礎梁部接続用部材の接続によるべた基礎の構築によって、一般住宅等の建築物の基礎施工に用いられ、予め工場等で大量生産された適合する形状の前記コンクリート基礎梁部材を施工現場へ運搬し、施工現場で配置後、前記コンクリート基礎梁部接続用部材と連結させて、一体のコンクリートべた基礎を構築する施工方法において、コンクリート基礎梁部接続用部材専用に使用される肩当て金物に関する。
【背景技術】
【０００２】
断面形状が縦長に形成されたコンクリート基礎本体に、縦横の格子状に鉄筋を埋設し、特に横の水平方向に埋設された鉄筋の端部を、前記コンクリート基礎梁部材の端面から突出させた建築用コンクリート基礎構造体は、例えば特許第３６６２２０７号で知られている。
【０００３】
このような建築用コンクリート基礎構造体を用いることにより、施工現場で鉄筋を組み上げ、両側に型枠を装着した後にコンクリートを打設するという従来の一般的なコンクリート施工とは異なり、施工が簡便なため工期が短縮できるという効果がある。
【発明の開示】
【発明が解決しようとする課題】
【０００４】
上記特許文献に開示された建築用コンクリート基礎構造体及び基礎の施工方法であってもまだ施工性を向上し得る余地があった。
【０００５】
本発明はこのような問題に鑑み、施工性を向上できる肩当て金物を提供することを目的とする。
【課題を解決するための手段】
【０００６】
本発明の肩当て金物は、離して配置した２つのコンクリート基礎梁部材の間に挿入するコンクリート基礎梁部接続用部材の左右の天端それぞれに取り付けられる２枚１組のコンクリート基礎梁部接続用部材専用の肩当て金物であって、前記コンクリート基礎梁部接続用部材に取り付けられた状態で前記天端から水平面内左右方向に突出する部位を有しており、当該左右の突出部位を前記２つのコンクリート基礎梁部材の天端上に載置して使用することを特徴とする。
【発明の効果】
【０００７】
コンクリート基礎梁部接続用部材は、その外観はコンクリート基礎梁部材と同等だが内側を空洞とし、設置された際に両側の前記コンクリート基礎梁部材から突出している鉄筋を空洞部で呑込み、天端部から打設された現場打ちコンクリートによって一体化されるものである。本発明の肩当て金物をその左右の天端それぞれに取り付けて、肩当て金物の水平面内左右方向に突出する部位を２つのコンクリート基礎梁部材の天端上に載置することにより、コンクリート基礎梁部接続用部材は２つのコンクリート基礎梁部材の間でいわゆる吊り下げ状態で安定する。したがって、２つのコンクリート基礎梁部材とコンクリート基礎梁部接続用部材の天端を揃えて、容易に高さを合わせることができるため、施工性を向上できる。
なお、本発明の肩当て金物は、コンクリート基礎梁部材とコンクリート基礎梁部接続用部材とを接合するために使用するものではない。なぜなら、コンクリート基礎梁部材とコンクリート基礎梁部接続用部材は、天端部から打設される現場打ちコンクリートによって強固に一体化されるものであり、金物等で相互に接合する必要がないからである。
【０００８】
なお、コンクリート基礎梁部材とは、断面形状が縦長に形成されたコンクリート本体に、縦横格子状に連結された鉄筋を埋設し、特に横方向の鉄筋をコンクリート両端部面より水平に突出させ、設置時に隣り合わせた向き合うコンクリート端部面双方から突出した鉄筋の絡みによって定着長さを確保できるようにし、製造効率を確保するために脚部相当の凹凸箇所を削除して平坦にし、全体の形を単純化させた部材である。通常の基礎梁部材は、建物の間取り等による配置形状に関連し、モデュール交点部が１箇所の場合では一端部を９０度に折り曲げた部材・２個の部材が直交し突き抜けていない部材・２個の部材が直交し突き抜けている部材、モデュール交点部が２箇所の場合では逆向きに直交する部材等を企図しているが、この発明ではそれを取り止め、モデュール交点部を持たない直線型のみで、前記コンクリート基礎梁部の構成を企図するため、その形状が簡素化になっている。
【０００９】
更に前記コンクリート基礎梁部材は製造の簡便さと軽量化のため、コンクリート脚部を有していないので、一段と形状の簡素化になっている。
【００１０】
また、天端部分に床下換気用空隙部を確保するため、台形状の凸部を所定の間隔で設けたことを特徴とする。
【００１１】
また、コンクリート基礎梁部接続用部材とは、外観は前記コンクリート基礎梁部材と同等だが内側を空洞とし、設置された際に両側の前記コンクリート基礎梁部材から突出している鉄筋を空洞部で呑込み、天端部から打設された現場打ちコンクリートによって一体化される部材であって、本発明の肩当て金物によって吊り下げ状態で安定するため、前記コンクリート基礎梁部材同様に脚部に相当する部分がないことを特徴としている。
【００１２】
また、鋼製脚部とは、前記コンクリート基礎梁部材の自重を支え、下端下側に仕込まれた固定用鋼製インサートを介して固定され、更に下端に基礎梁部材の幅より大きいプレート部にボルトをセットすることによって、前記コンクリート基礎梁部材の設置時の転倒防止と、前記コンクリート基礎梁部材の据付けにおいて、鉛直方向及び水平方向の微調整が可能になるよう設定した部材であって、コンクリートの形状簡素化に貢献している。
【００１３】
また、一体の基礎梁部材とは、前記コンクリート基礎梁部材と前記鋼製脚部を接続させ、自立できるようにした部材であって、間取りに合わせた配置計画に沿って簡便に施工できることを特徴としている。
【００１４】
また、前記コンクリート基礎梁部材の軸方向又は直交方向において、前記コンクリート基礎梁部接続用部材を連続させることによって構築される一連のべた基礎は、施工の効率アップに貢献する。
【００１５】
また、前記コンクリート基礎梁部接続用部材だけを連続させて構築される一連のべた基礎は、施工の効率アップとともに、モデュールに影響されない利点を持つため、配置の柔軟性が向上することと、施工現場で重機が不要となることを特徴としている。
【００１６】
また、床下点検用通路について、床下点検用通路を確保するため、相対的に高さの低い前記コンクリート基礎梁部材に対して、高さの高い前記コンクリート基礎梁部材を両側から抱き合わせて一体とし、その結果確保される間の空間を人通口とする。
【００１７】
前記コンクリート基礎梁部材の脚部の凹凸が削除されるので、部材の製造・保管・運搬においてのコストダウンに貢献する。
【００１８】
法規では、布基礎の場合よりも、べた基礎の場合の方が根切り寸法を小さく規定しているので、施工現場で根切り寸法が小さければ、前記コンクリート基礎梁部材本体の寸法も小さくでき、コストダウンに貢献する。
【００１９】
施工が簡便であり、施工日の冬季、雨天等の気象条件を特に問わないため、工期が短縮できるので、コストダウンに貢献する。
【００２０】
施工が簡便なため熟練工でなくとも施工できるので、コストダウンに貢献する。
【００２１】
現場で型枠が不要になるので、コストダウンに貢献する。
【００２２】
前記コンクリート基礎梁部材と前記コンクリート基礎梁部接続用部材のコンクリートの材齢の差異による色違いが発生しないので、基礎としての一体感が確保されるとともに、外観の見栄えも著しく向上する。
【００２３】
前記コンクリート基礎梁部接続用部材の天端打設口から現場打ちコンクリートを流入させるが、打設口が１箇所では、コンクリートの充填具合が確認できない。そのため、打設口と充填確認口を兼ねて、複数個の開口部を用意する。
【発明を実施するための最良の形態】
【００２４】
以下、この発明の実施の形態を図面に基づいて説明する。
図１では、図２の前記コンクリート基礎梁部材が所定の位置に据え置かれ、直交方向の図４の前記コンクリート基礎梁部接続用部材の天端部の両側が本発明の肩当て金物によって固定される。一方、直線方向の現場打ち接合部では、前記コンクリート基礎梁部材の双方から突出している鉄筋が絡んでいるが、その鉄筋郡を跨ぐように図４の前記コンクリート基礎梁部接続用部材が上から被さり、直交部と同様に上部が本発明の肩当て金物によって固定される。
【００２５】
こうしての図２の前記コンクリート基礎梁部材と図４の前記コンクリート基礎梁部接続用部材の全てが固定された後、べた基礎底盤部の現場打ちコンクリートを打設する。
【００２６】
次に、図４の前記コンクリート基礎梁部接続用部材の天端打設口から現場打ちコンクリートを打設する。この時、打設口を変えながらコンクリートの充填具合を確認する。打設していない開口部にコンクリートが吹き上がって来たら、それが充填の目安となるため、開口部は複数個必要となる。
【００２７】
図２は、前記コンクリート基礎梁部材の脚部が削除され平坦になっている状態と、床下換気用空隙部を確保するため、天端部分に台形状の凸部を所定の間隔で設けた状態を示している。又、前記コンクリート基礎梁部材の中に埋設されたせん断補強筋を曲げ加工して、底盤内に定着させる。
【００２８】
図３は、床下点検用通路を確保するため、相対的に高さの低い前記コンクリート基礎梁部材に対して、高さの高い前記コンクリート基礎梁部材を両側から抱き合わせて一体とし、その結果確保される間の空間を人通口とする。
【図面の簡単な説明】
【００２９】
【図１】連結構造を示す斜視図
【図２】同コンクリート基礎梁の外周部用部材を示し、（ａ）は正面図、（ｂ）は上面図、（ｃ）は側面図
【図３】同コンクリート基礎梁の内部用人通口付き部材を示し、（ａ）は正面図、（ｂ）は上面図、（ｃ）は側面図
【図４】同コンクリート基礎梁部接続用部材を示し、（ａ）は正面図、（ｂ）は上面図、（ｃ）は側面図
【図５】鋼製脚部の斜視図
【図６】同肩当て金物を示し、（ａ）は正面図、（ｂ）は上面図、（ｃ）は側面図
【図７】同コンクリート基礎梁部材とコンクリート基礎梁部接続用部材の接合によるべた基礎外観図
【図８】同コンクリート基礎梁部接続用部材のみの接合によるべた基礎外観図
【符号の説明】
【００３０】
１  コンクリート基礎梁部材
２  コンクリート基礎梁部接続用部材
３ａ  基礎梁主鉄筋
３ｂ  基礎梁補強鉄筋
３ｃ  基礎梁せん断補強鉄筋
３ｄ  底盤鉄筋
３ｅ  斜め鉄筋
４  シャーコッター
５  床下換気確保のための台形凸部
６  人通口付きコンクリート基礎梁部材
７  人通口
８  アンカーインサート
９ａ  肩当て金物
９ｂ  幅押さえガード部
１０  現場打ちコンクリート打設口・充填改め口
１１  鋼製脚部
１２  高さ調整ボルト
１３  固定ボルト
１４  べた基礎底盤
１５  土間コンクリート
【図１】
0004970075.tif 000002
【図２】
0004970075.tif 000003
【図３】
0004970075.tif 000004
【図４】
0004970075.tif 000005
【図５】
0004970075.tif 000006
【図６】
0004970075.tif 000007
【図７】
0004970075.tif 000008
【図８】
0004970075.tif 000009